(57)【要約】【課題】仮開口を閉塞する工程を容易にして工期の短縮化を可能に、さらに精度の管理を容易にして精度の向上を可能にした、貯蔵タンクの施工方法を提供する。【解決手段】貯蔵タンクの施工方法である。仮開口１０を設けた状態で側壁部３ｂを形成する工程と、仮開口１０の内壁面側と外壁面側とにそれぞれプレキャストコンクリート板１７ａ、１７ｂを嵌め込み、仮開口１０の内壁面側と外壁面側とをそれぞれ閉じる工程と、プレキャストコンクリート板１７ａ、１７ｂを型枠として用い、これらプレキャストコンクリート板１７ａ、１７ｂ間にコンクリートを２６打設し、仮開口１０を閉塞する工程と、を備える。【選択図】図５
2014227680.tif 000002
【特許請求の範囲】
【請求項１】
貯蔵タンクの施工方法であって、
仮開口を設けた状態で側壁部を形成する工程と、
前記仮開口の内壁面側と外壁面側とにそれぞれプレキャストコンクリート板を嵌め込み、前記仮開口の内壁面側と外壁面側とをそれぞれ閉じる工程と、
前記プレキャストコンクリート板を型枠として用い、これらプレキャストコンクリート板間にコンクリートを打設し、前記仮開口を閉塞する工程と、を備えたことを特徴とする貯蔵タンクの施工方法。
【請求項２】
前記プレキャストコンクリート板として、その内側となる面に予め金属板を貼設したものを用いることを特徴とする請求項１記載の貯蔵タンクの施工方法。
【請求項３】
前記仮開口の内壁面側と外壁面側とにそれぞれプレキャストコンクリート板を嵌め込んだ後、これらプレキャストコンクリート板間にセパレータを取り付けてこれらプレキャストコンクリート板間の間隔を一定に保持し、その後、前記プレキャストコンクリート板間にコンクリートを打設することを特徴とする請求項１又は２に記載の貯蔵タンクの施工方法。
【発明の詳細な説明】
【技術分野】
【０００１】
本発明は、貯蔵タンクの施工方法に関する。
【背景技術】
【０００２】
従来、地上式の貯蔵タンクの施工にあたっては、側壁部を形成する際、工事用の資材等を側壁部内に搬入するための仮開口を形成する。このような仮開口は、地上式貯蔵タンクの施工が終了した際には、現場打ちによるコンクリートによって閉塞される。すなわち、仮開口に対して側壁部の内面側と外面側にそれぞれ型枠を組み、その後、型枠間にコンクリートを打設することにより、仮開口を閉塞する。
【０００３】
なお、側壁部を形成した後、例えば屋根をエアライジング工法によって側壁部上に上げる際に、前記の仮開口を仮閉塞する場合には、予め仮開口の周囲に額縁状に埋め込んだ仮部材に対して閉塞用板を仮溶接して固定したり、仮開口内に突出する鉄筋を利用して閉塞用板を取り付けている（特許文献１参照。）。
【先行技術文献】
【特許文献】
【０００４】
【特許文献１】特開２００３−３１４０７８号公報
【発明の概要】
【発明が解決しようとする課題】
【０００５】
しかしながら、タンクの施工を終了させる際の仮開口の閉塞では、前述したように型枠を組んだ後、コンクリートを現場打ちで打設しているため、この工程に手間がかかり、したがってこの工程が工期の短縮化を阻む一因になっている。すなわち、仮開口の閉塞には型枠の設置や仮開口の閉塞終了後の型枠撤去といった作業が必要になるため、これら作業に多くの時間が必要になる。例えば、型枠の撤去では、側壁部の内側に配置した型枠については側壁部を越えて外側に搬出する必要があり、したがってクレーンが必要になるなど、作業に長時間を要している。
【０００６】
また、仮開口を閉塞するためのコンクリートを現場打ちで打設しているため、仮開口閉塞部の精度の管理が難しいといった問題もある。
本発明は前記事情に鑑みてなされたもので、その目的とするところは、仮開口を閉塞する工程を容易にして工期の短縮化を可能に、さらに精度の管理を容易にして精度の向上を可能にした、貯蔵タンクの施工方法を提供することにある。
【課題を解決するための手段】
【０００７】
本発明の貯蔵タンクの施工方法は、貯蔵タンクの施工方法であって、仮開口を設けた状態で側壁部を形成する工程と、前記仮開口の内壁面側と外壁面側とにそれぞれプレキャストコンクリート板を嵌め込み、前記仮開口の内壁面側と外壁面側とをそれぞれ閉じる工程と、前記プレキャストコンクリート板を型枠として用い、これらプレキャストコンクリート板間にコンクリートを打設し、前記仮開口を閉塞する工程と、を備えたことを特徴とする。
【０００８】
また、前記貯蔵タンクの施工方法においては、前記プレキャストコンクリート板として、その内側となる面に予め金属板を貼設したものを用いることが好ましい。
【０００９】
また、前記貯蔵タンクの施工方法においては、前記仮開口の内壁面側と外壁面側とにそれぞれプレキャストコンクリート板を嵌め込んだ後、これらプレキャストコンクリート板間にセパレータを取り付けてこれらプレキャストコンクリート板間の間隔を一定に保持し、その後、前記プレキャストコンクリート板間にコンクリートを打設することが好ましい。
【発明の効果】
【００１０】
本発明の貯蔵タンクの施工方法によれば、プレキャストコンクリート板を型枠として用い、これらプレキャストコンクリート板間にコンクリートを打設し、仮開口を閉塞するので、従来のような型枠の設置や型枠の撤去といった作業が不要になり、したがってこれらの作業に要していた時間を無くすことで従来に比べ工期を格段に短縮することができる。
また、仮開口の内壁面側と外壁面側とにそれぞれプレキャストコンクリート板を嵌め込んで仮開口の内壁面側と外壁面側とをそれぞれ閉じ、その後、これらプレキャストコンクリート板間にコンクリートを打設して仮開口を閉塞するので、従来のように仮開口内全体を現場打ちのコンクリートで形成する場合に比べ、精度の管理が容易になり、したがって仮開口閉塞部の精度を向上することができ。
【図面の簡単な説明】
【００１１】
【図１】本発明に係る貯蔵タンクの一例を示す図であり、（ａ）は貯蔵タンクの側断面図、（ｂ）は側壁部の斜視図である。
【図２】本発明の施工方法の工程説明図であり、（ａ）は仮開口形成部を示す斜視図、（ｂ）は仮開口形成部を示す側断面図である。
【図３】プレキャストコンクリート板の概略構成を示す斜視図である。
【図４】本発明の施工方法の工程説明図であり、（ａ）は仮開口形成部を示す斜視図、（ｂ）は仮開口形成部を示す側断面図である。
【図５】本発明の施工方法の工程説明図であり、（ａ）は仮開口形成部を示す斜視図、（ｂ）は仮開口形成部を示す側断面図である。
【発明を実施するための形態】
【００１２】
以下、図面を参照して本発明の貯蔵タンクの施工方法を詳しく説明する。なお、以下の図面においては、各部材を認識可能な大きさとするため、各部材の縮尺を適宜変更している。
まず、本発明の施工方法によって得られる貯蔵タンクの一例について、図１（ａ）、（ｂ）を参照して説明する。図１（ａ）、（ｂ）中符号１は、本発明に係る貯蔵タンクとしての、地上式低温タンク（以下、低温タンクと記す。）である。
【００１３】
図１（ａ）に示すようにこの低温タンク１は、ＬＮＧ（Liquefied Natural Gas）等の低温の液化ガスを貯留するためのもので、金属製の内槽２とコンクリート製の外槽３とを備えている。
内槽２は、液化ガスを直接貯留する金属製の容器であり、底部２ａと、側壁部２ｂと、屋根部２ｃとを備えている。
外槽３は、内槽２を囲って収容するコンクリート製の容器である。この外槽３は、図１に示すように、底部３ａと、側壁部３ｂと、屋根部３ｃとを備えている。
なお、図示しないものの、内槽２と外槽３との間には隙間が形成されており、この隙間には保冷材やライナ等が収容されている。
【００１４】
このような構成の低温タンク１を施工するに際し、特にコンクリート製の外槽３を施工するには、まず、図１（ｂ）に示すように外槽３の底部３ａを形成し、さらにその上に側壁部３ｂを形成する。側壁部３ｂを形成する際、従来とほぼ同様にして仮開口１０を形成する。仮開口１０は、例えば幅が５０００ｍｍ、高さが３０００ｍｍ程度の大きさの矩形状の開口であり、側壁部３ｂの下端部において底部３ａの上面に接するようにして形成される。すなわち、仮開口１０は側壁部３ｂの下端部を一部切り欠いた形状に形成し、これによって側壁部３ｂと底部３ａとの間に矩形状に形成された開口とする。
【００１５】
ただし、側壁部３ｂの下端部に直接矩形状の開口を形成してこれを仮開口１０としてもよい。
このような仮開口１０は、通常は一つの低温タンク１に二つ形成するが、一つであっても、三つ以上であってもよい。
【００１６】
また、本実施形態では、図２（ａ）、（ｂ）に示すように底部３ａを形成する際には、Ｌ状のパイプ１１を仮開口１０の直下となる部位に埋設しておく。パイプ１１は、その一端側の開口が底部３ａの外周面に臨むように配置するとともに、他端側の開口が底部３ａの上面、すなわち仮開口１０内に臨むように配置しておく。ここで、パイプ１１の他端側については、図２（ｂ）に示すように仮開口１０の厚さ方向（仮開口を貫通する方向）のほぼ中央部に、その開口が位置するように配置する。このように配置するパイプ１１については、特に限定されないものの、本実施形態で図２（ａ）に示すように側壁部３ｂの周方向に等間隔で３本埋設する。ただし、２本以下であっても、４本以上あってもよい。
【００１７】
また、底部３ａの、仮開口１０の直下となる部位には、図２（ｂ）に示すように連結金具１２を埋設しておく。連結金具１２の埋設位置としては、仮開口１０の内側開口（側壁部３ｂの内壁面側開口）の近傍部、および外側開口（側壁部３ｂの外壁面側開口）の近傍部とする。また、仮開口１０を正面視した場合の、少なくとも左右方向（水平方向）両側にそれぞれ埋設する。
【００１８】
これら連結金具１２としては、例えば孔を形成したアングル材の孔内にボルトを通したものなどが用いられる。ボルトは、底部３ａ内と仮開口１０内との間に出没可能となるようにアングル材に取り付けておく。これにより、後述するプレキャストコンクリート板に埋設された連結金具（アングル材）との間に連結され、ナット等によって締結されることにより、アングル材間を連結固定するようになっている。
【００１９】
また、側壁部３ｂにも、仮開口１０内に臨む位置、すなわちその下端部に、前記の連結金具１２を埋設しておく。連結金具１２の埋設位置としては、底部３ａ側と同様に、仮開口１０の内側開口（側壁部３ｂの内壁面側開口）の近傍部、および外側開口（側壁部３ｂの外壁面側開口）の近傍部とする。また、仮開口１０を正面視した場合の、少なくとも左右方向（水平方向）両側にそれぞれ埋設する。このように底部３ａ、側壁部３ｂにそれぞれ連結金具１２を埋設しておくことにより、後述するように矩形状のプレキャストコンクリート板を、仮開口１０の内壁面側開口部と外壁面側開口部とにそれぞれ容易に固定することができる。
【００２０】
また、側壁部３ｂについては、従来と同様にして鉄筋１３やプレストレス導入のためのシース１４を埋設しておく。そして、特に仮開口１０内に臨む位置、すなわち仮開口１０の内周面（上面および側面）に露出する位置には、後述するように鉄筋１３に新たな鉄筋を連結するためのカプラ１５を取り付けておき、同様にシース１４にも新たなシースを連結するためのカプラ１６を取り付けておく。これらカプラ１５、カプラ１６としては、例えばネジで巻き締める型式のものなど、従来公知のもの用いられる。
【００２１】
なお、図２（ｂ）中に示していないものの、底部３ａ内に埋設した鉄筋やシースに対しても、仮開口１０の内周面に露出する位置に、鉄筋やシースを連結するためのカプラ１５、カプラ１６を設けておいてもよい。
【００２２】
このようにして底部３ａと側壁部３ｂとを、仮開口１０を設けた状態で形成したら、この仮開口１０の内壁面側と外壁面側とにそれぞれ厚さ８０ｍｍ程度のプレキャストコンクリート板１７ａ、１７ｂを嵌め込む。プレキャストコンクリート板１７ａ、１７ｂは、図３に示すように予め工場等で仮開口１０の形状・寸法に合わせて製造されたもので、車両等によって施工現場に搬送されて使用される。
【００２３】
仮開口１０の内壁面側に配置するプレキャストコンクリート板１７ａとしては、その内側の面、すなわち側壁部３ｂの内周面となる側の面と反対側の面のほぼ全体に、鉄等からなる厚さ１０ｍｍ程度の矩形状の金属板１８ａを予め工場等で貼設しておいたものを用いる。ただし、このプレキャストコンクリート板１７ａでは、後述する連結金具１９とナット２０とを露出できるように、該連結金具１９とナット２０を埋設した位置を避けた形状の金属板１８ａが貼設されている。例えば、このプレキャストコンクリート板１７ａでは、矩形における角部（四隅部）を切り欠き、さらに中心部に貫通孔を形成した形状の金属板１８ａが貼設されている。なお、図３では連結金具１９を四隅にのみ埋設した構造を示したが、これ以外の箇所にも連結金具１９を埋設してもよく、その場合には、全ての連結金具１９を露出させるように金属板１８ａの形状も変更される。
【００２４】
また、仮開口１０の外壁面側に配置するプレキャストコンクリート板１７ｂとしては、その中心部に後述するセパレータを挿入するための貫通孔２１を形成し、さらにその内側の面、すなわち側壁部３ｂの外周面となる側の面と反対側の面のほぼ全体に、鉄等からなる矩形状の金属板１８ｂを予め工場等で貼設しておいたものを用いる。また、このプレキャストコンクリート板１７ｂには、その上端部に切欠溝２２を形成しておく。切欠溝２２は、プレキャストコンクリート板１７ｂの表面から裏面にかけて切り欠かれて形成されたもので、その数や大きさは特に限定されることなく、適宜な数、大きさとされる。本実施形態では、前記パイプ１１の数に対応して切欠溝２２も３つ形成されている。
【００２５】
ここで、このプレキャストコンクリート板１７ｂでは、前記プレキャストコンクリート板１７ｂとは異なり、金属板１８ｂは連結金具１９が露出する側の面と反対の側の面に貼設されることから、角部が切り欠かれていない金属板１８ｂが用いられる。ただし、金属板１８ｂとしては、前記貫通孔２１に対応する箇所と前記切欠溝２２に対応する箇所は切り欠いておく必要がある。したがって、金属板１８ｂとしては、その中心部に貫通孔を形成し、上端部に切欠溝２２に連通する切欠部を形成したものが用いられる。
【００２６】
これらプレキャストコンクリート板１７ａ、１７ｂには、前記したように予めその角部、すなわち底部３ａ、側壁部３ｂに埋設した前記連結金具１２に対して上下方向で対向する位置となる、下端部の両側および上端部の両側に、連結金具１９を埋設しておく。連結金具１９は、前記連結金具１２と同様に孔を形成したアングル材によって形成されたものである。
【００２７】
また、連結金具１９は、内壁面側のプレキャストコンクリート板１７ａに対しては、その内側の面、すなわち側壁部３ｂの外方に向く面に露出して埋設されている。一方、外壁面側のプレキャストコンクリート板１７ｂに対しては、その外側の面、すなわち側壁部３ｂの外方に向く面に露出して埋設されている。このような構成のもとにプレキャストコンクリート板１７ａ、１７ｂは、それぞれの連結作業を、側壁部３ｂの外方から行えるようになっている。
【００２８】
また、プレキャストコンクリート板１７ａには、その内側の面の中心部に、後述するセパレータの一端側を螺着するためのナット２０を、その一方の面が内側の面に露出し、かつ貼設される金属板１８ａの貫通孔に連通するように埋設しておく。
【００２９】
これらプレキャストコンクリート板１７ａ、１７ｂのうち、まず、内壁面側のプレキャストコンクリート板１７ａを、図４（ａ）に示すように仮開口１０内の内壁面側に嵌め込む。そして、図４（ｂ）に示すようにその連結金具１９を、それぞれ上下方向に対向する連結金具１２に対して連結する。すなわち、上端部に埋設した連結金具１９は側壁部３ｂに埋設した連結金具１２に連結し、下端部に埋設した連結金具１９は底部３ａに埋設した連結金具１２に連結する。連結金具１２、１９間の連結は、連結金具１２に設けておいたボルトの先端側を連結金具１９側の孔に嵌入し、ナットを螺着することで行う。
【００３０】
このようにして全ての連結金具１２、１９間を連結したら、仮開口１０の内周面（上面および側面）、すなわち側壁部３ｂの仮開口１０側の面に露出する前記鉄筋１３のカプラ１５に対して鉄筋２３を連結する。この鉄筋２３は、側壁部３ｂと仮開口１０を閉塞するコンクリートとを一体化してこれを強化するためのものである。本実施形態では、仮開口１０を閉塞するコンクリート自体の強度については金属板１８ａ、１８ｂによって補強しているため、鉄筋２３は側壁部３ｂと仮開口１０を閉塞するコンクリートとを一体化するのを主目的として配置される。そのため、鉄筋２３は仮開口１０内を上から下まで、あるいは右から左まで連続して配置することなく、仮開口１０の側周部に延出していればよい。したがって、鉄筋２３としては数十ｃｍ程度の長さのものが、前記カプラ１５に連結されて配設される。
【００３１】
なお、図４（ｂ）では鉄筋２３を側壁部３ｂの下端部から仮開口１０内に延出させているが、側壁部３ｂの仮開口１０内に臨む側面からも、鉄筋２３を仮開口１０内に延出させている。
また、底部３ａにカプラ１５を埋設した場合には、底部３ａからも、鉄筋２３を仮開口１０内に延出させる。
【００３２】
また、鉄筋２３とは別に、シース１４に対しても新たなシース２４を連結する。すなわち、シース２４を、カプラ１６によって側壁部３ｂのシース１４に連結し連通させる。これにより、仮開口１０をコンクリートで閉塞した後、シース１４、シース２４にＰＣ鋼線を通して張力を与え、さらにシース１４、２４内の残りの空間にグラウトを注入し一体化することにより、プレストレスコンクリートを完成することができる。なお、底部３ａに埋設したシース（図示せず）にも、新たなシース２４を連結してもよい。また、シース２４は上下方向（鉛直方向）だけでなく、左右方向（水平方向）にも配設する。
【００３３】
このようにして鉄筋２３の連結・配置、およびシース２４の連結・配置を行ったら、プレキャストコンクリート板１７ａの中心部に埋設したナット２０に対して、鉄棒からなるセパレータ２５の一端側を取り付ける。セパレータ２５は、その両端部に雄螺子部を形成したもので、その長さが側壁部３ｂの厚さより僅かに短くなるように形成されている。このような構成のもとにセパレータ２５は、後述するようプレキャストコンクリート板１７ａとプレキャストコンクリート板１７ｂとの間の間隔を一定に保持するようになっている。すなわち、プレキャストコンクリート板１７ａの外側の面を側壁部３ｂの内壁面に面一にし、かつ、プレキャストコンクリート板１７ｂの外側の面を側壁部３ｂの外壁面に面一にした状態で、これらプレキャストコンクリート板１７ａ、１７ｂ間を一定に保持するようになっている。
【００３４】
セパレータ２５を取り付けたら、図５（ａ）に示すように外壁面側のプレキャストコンクリート板１７ｂを、仮開口１０内の外壁面側に嵌め込む。その際、図５（ｂ）に示すようにプレキャストコンクリート板１７ｂの貫通孔２１に、セパレータ２５の他端側を挿通させる。そして、連結金具１９を、プレキャストコンクリート板１７ａの場合と同様にしてそれぞれ上下方向に対向する連結金具１２に対して連結する。
【００３５】
続いて、貫通孔２１内に挿通したセパレータ２５の他端部にナットを螺着し、その状態で貫通孔２１内にモルタルを充填し、硬化させる。
このように仮開口１０の内壁面側にプレキャストコンクリート板１７ａを、また、仮開口１０の外壁面側にプレキャストコンクリート板１７ｂをそれぞれ嵌め込み、連結金具１２、１９を介して側壁部３ｂや底部３ａに固定することにより、仮開口１０の内壁面側と外壁面側とをそれぞれ閉じることができる。
【００３６】
続いて、これらプレキャストコンクリート板１７ａ、１７ｂを型枠として用い、図５（ｂ）に示すようにこれらプレキャストコンクリート板１７ａ、１７ｂ間に生コンクリート２６を打設する。すなわち、底部３ａに埋設したパイプ１１の、底部３ａの外周面に臨む一端側の開口より、生コンクリート２６を圧送する。すると、仮開口１０内では、その内壁面側の開口と外壁面側の開口とがそれぞれプレキャストコンクリート板１７ａ（１７ｂ）によって閉じられていることにより、生コンクリート２６が仮開口１０内の下側から上側に向かって充填されていく。
【００３７】
そして、仮開口１０内が生コンクリートで満たされると、図５（ａ）に示した外壁面側のプレキャストコンクリート板１７ｂの上端部に形成した切欠溝２２から、生コンクリート２６が溢れ出てくる。このように切欠溝２２から溢れ出てくる生コンクリート２６を確認したら、生コンクリート２６の圧送を停止し、パイプ１１の一端側の開口に蓋をする。これにより、仮開口１０内のプレキャストコンクリート板１７ａ、１７ｂ間への生コンクリート２６の打設を終了し、仮開口１０内を生コンクリート２６で満たすことができる。
【００３８】
また、プレキャストコンクリート板１７ａ、１７ｂと底部３ａや側壁部３ｂとの間、すなわち目地部には、僅かながら隙間が形成されている。このような目地部からは、生コンクリート２６の打設（圧送）に伴って僅かながら生コンクリート２６が漏れ出てくる。しかし、生コンクリート２６は液体とは異なってその流動性は高くなく、しかも時間の経過に伴って硬化するので、漏れ出てきた生コンクリート２６は目地部の隙間を閉塞した状態で硬化する。したがって、特に目地処理を行うことなく、目地部の隙間が埋められ、閉塞される。
【００３９】
このようにして仮開口１０を、プレキャストコンクリート板１７ａ、１７ｂとこれらの間に打設したコンクリートとによって閉塞したら、従来と同様にシース１４、２４内にＰＣ鋼線を挿通し、張力を与える。そして、シース１４、２４内の残りの空間にグラウトを注入し一体化することにより、側壁部３ｂ、および仮開口１０を閉塞するコンクリートをプレストレスコンクリートとする。
その後、従来と同様に屋根部３ｃ等を形成し、図１（ａ）、（ｂ）に示した低温タンクを完成させる。
【００４０】
このような低温タンク１の施工方法にあっては、プレキャストコンクリート板１７ａ、１７ｂを型枠として用い、これらプレキャストコンクリート板１７ａ、１７ｂ間に生コンクリート２６を打設（圧送）し、仮開口１０を閉塞するので、従来のような型枠の設置や型枠の撤去といった作業が不要になる。したがって、これらの作業に要していた時間を無くすことにより、従来に比べ工期を格段に短縮することができる。特に、側壁部３ｂの内壁面側に配置した型枠の撤去といった、低温タンク１の内部での作業が不要になるため、例えば側壁部３ｂを乗り越えて型枠を外に送り出すといった作業が不要になり、したがって作業を安全かつ短時間で行うことができる。
【００４１】
また、仮開口１０にプレキャストコンクリート板１７ａ、１７ｂを嵌め込んで仮開口１０を閉じ、その後、これらプレキャストコンクリート板１７ａ、１７ｂ間にコンクリートを打設して仮開口１０を閉塞するので、従来のように仮開口１０内全体を現場打ちのコンクリートで形成する場合に比べ、特に側壁部３ｂの内壁面側や外壁面側の精度の管理を容易に行うことができる。したがって、仮開口１０閉塞部の精度を向上することができる。
【００４２】
また、プレキャストコンクリート板１７ａ、１７ｂとして、その内側となる面に予め金属板１８ａ（１８ｂ）を貼設して補強したものを用いているので、仮開口１０内にはカプラ１５に連結することにより、鉄筋２３を仮開口１０の周囲に単に延出させるだけでよくなる。したがって、仮開口１０内での鉄筋の配置のための作業を最小限に抑えることができ、工期をより短縮化することができる。
【００４３】
また、仮開口１０の内壁面側と外壁面側とにそれぞれプレキャストコンクリート板１７ａ（１７ｂ）を嵌め込んだ後、これらプレキャストコンクリート板１７ａ、１７ｂ間にセパレータ２５を取り付けているので、これらプレキャストコンクリート板１７ａ、１７ｂ間の間隔を一定に保持した状態で、プレキャストコンクリート板１７ａ、１７ｂ間にコンクリートを打設することができる。したがって、打設したコンクリートの圧力でプレキャストコンクリート板１７ａ、１７ｂ間が拡がってしまうことを防止することができ、これによって仮開口１０閉塞部の精度をより向上することができる。
【００４４】
なお、本発明は前記実施形態に限定されることなく、本発明の主旨を逸脱しない範囲で種々の変更が可能である。
例えば、前記実施形態ではプレキャストコンクリート板１７ａ、１７ｂとして、予め金属板１８ａ（１８ｂ）を貼設したものを用いたが、金属板を貼設しないものを用いることもできる。その場合には、仮開口１０内においても、鉄筋を縦横に連続して配置するのが好ましい。
【００４５】
また、底部３ａにパイプ１１を埋設するのに代えて、プレキャストコンクリート板１７ｂの下端部にも切欠溝を形成しておき、この下端部の切欠溝から仮開口１０内に生コンクリートを圧送するようにしてもよい。
【００４６】
また、前記実施形態では本発明の貯蔵タンクの施工方法を低温タンク１の施工方法に適用した場合について説明したが、本発明はこれに限定されることなく、例えば貯蔵タンクとしてのサイロの施工方法にも適用することができる。
【符号の説明】
【００４７】
１…低温タンク（貯蔵タンク）、３…外槽、３ａ…底部、３ｂ…側壁部、１０…仮開口、１７ａ、１７ｂ…プレキャストコンクリート板、１８ａ、１８ｂ…金属板、２５…セパレータ、２６…生コンクリート（コンクリート）
【図１】
2014227680.tif 000003
【図２】
2014227680.tif 000004
【図３】
2014227680.tif 000005
【図４】
2014227680.tif 000006
【図５】
2014227680.tif 000007